(57)【特許請求の範囲】
【請求項１】
イーサネットワーク用スイッチボードは設置されている１個以上のネットワークインターフェース回路を利用し、第１線路を経由してサーバ端にリンクし、クライント端と前記サーバ端との間でデータパケットを受発信し、前記サーバ端は前記イーサネットワーク用スイッチボードを監視、制御および管理するネットワーク管理パケットを第２線路を経由して前記イーサネットワーク用スイッチボードに伝送し、前記イーサネットワーク用スイッチボードは前記サーバ端から伝送されるネットワーク管理パケットを受信し、インストールされているＳＮＭＰ協定の管理データベースであるＭＩＢの管理値を設定し、前記イーサネットワーク用スイッチボードは前記管理値に基づき前記１個以上のネットワークインターフェース回路を監視および制御することを特徴とするイーサネットワーク用スイッチボードの管理システム。
【請求項２】
前記イーサネットワーク用スイッチボードはテスト結果を前記ＭＩＢに書き込み、前記ＳＮＭＰ協定は前記テスト結果を収集して前記サーバ端に伝送し、前記サーバ端のネットワークの管理者は前記テスト結果を分析および判断することを特徴とする請求項１記載のイーサネットワーク用スイッチボードの管理システム。
【請求項３】
前記イーサネットワーク用スイッチボードは前記管理値によりイネーブルまたはディスイネーブル信号を前記ネットワークインターフェース回路に設置されているテスト回路に伝送し、前記テスト回路を始動し、前記ネットワークインターフェース回路をテストしてテスト結果を前記ＭＩＢに書き込み、前記ＳＮＭＰ協定は前記テスト結果を収集して前記サーバ端に伝送することを特徴とする請求項１記載のイーサネットワーク用スイッチボードの管理システム。
【請求項４】
前記ネットワークインターフェース回路は、ＶＤＳＬのインターフェース回路であることを特徴とする請求項１記載のイーサネットワーク用スイッチボードの管理システム。
【請求項５】
前記第２線路は、光ファイバーであり、モデムにより前記ネットワーク管理パケットを伝送することを特徴とする請求項１記載のイーサネットワーク用スイッチボードの管理システム。
【請求項６】
第１線路を経由し、サーバ端から伝送される一般のデータパケットを受信し、または前記一般のデータパケットを前記サーバ端に伝送するイーサネットワークスイッチ回路と、
前記サーバ端から伝送されるネットワーク管理パケットを第２線路で受信し、前記受信したネットワーク管理パケットに基づき、インストールされているＳＮＭＰ協定を経由して前記ＳＮＭＰ協定の管理データベースであるＭＩＢの管理値を設定するネットワーク管理制御回路と、
それぞれ前記イーサネットワークスイッチ回路ならびにクライント端のネットワークスイッチカードに接続される複数のネットワークインターフェース回路とを備え、
前記ネットワーク管理制御回路はバスを経由し前記ＭＩＢの管理値を前記イーサネットワークスイッチ回路に伝送し、前記イーサネットワークスイッチ回路は前記ＭＩＢの管理値により前記ネットワークインターフェース回路を監視および制御し、テスト結果を前記ＭＩＢに書き込み、前記ＳＮＭＰ協定は前記テスト結果を収集して前記サーバ端に伝送し、前記サーバ端のネットワークの管理者は前記テスト結果を分析および判断することを特徴とするイーサネットワーク用スイッチボード。
【請求項７】
前記ネットワークインターフェース回路にテスト回路が設けられ、前記テスト回路は前記イーサネットワーク用スイッチ回路に接続され、前記イーサネットワーク用スイッチ回路は前記ＭＩＢの管理値によりイネーブル信号またはディスイネーブル信号を前記テスト回路に伝送し、前記テスト回路を始動し、前記ネットワークインターフェース回路はテストされ、前記テスト結果は前記ＭＩＢに書き込まれることを特徴とする請求項６記載のイーサネットワーク用スイッチボード。
【請求項８】
前記ネットワークインターフェース回路は、ＶＤＳＬのインターフェース回路であることを特徴とする請求項６記載のイーサネットワーク用スイッチボード。
【発明の詳細な説明】
【０００１】
【発明の属する技術分野】
本発明は、イーサネットワーク（Ethernet network）用スイッチボードの管理システムおよびイーサネットワーク用スイッチボードに関する。
【０００２】
【従来の技術】
近年より、インターネット（Internet）は盛んであり、発展している。Ｗｏｒｌｄ  Ｗｉｄｅ  Ｗｅｂ（ＷＷＷと略称する）が従来のＥ?ＭＡＩＬの伝送サービスを提供し、音声、図面および動態影像などの様々なマルチメディアのサービスを提供している。社会の人々は容易に前述のパスを経由し豊富で多様な情報サービスを獲得するため、自宅でネットワークにリンクすることは多くの人の日常活動の一部である。ネットワーク業者は前述の趨勢に応じケーブルモデム（Cable Modem）またはＡＤＳＬモデム（Asymmetric Digital Subscriber line Modem）などの様々なハイスピードのネットワーク設備を設計し、ネットワークの伝送スピードを向上している。また、ネットワーク業者はネットワークの使用機能を増加するため、Ｖｏｉｃｅ  Ｏｖｅｒ  ＩＰ  Ｄｅｖｉｃｅ（ＶＯＩＰと略称する）などの様々なネットワーク周辺設備を設計し、ユーザにネットワークのオンライン通信サービスを提供し、ユーザの長距離通信費用および国際通信費用を大幅に低減している。
【０００３】
【発明が解決しようとする課題】
現在、使用されている様々なネットワークの構造は、クライント（Client）端とインターネットとのリンク方式の差異により下記の３種類に分けられる。
（１）ＡＤＳＬネットワークの構造：
図１に示すように、クライント端のイーサネットワークカード（Ethernet NIC）１０にＡＤＳＬ通信インターフェース１１およびラアウター（router）１２が追加されている。イーサネットワークカード１０は直接ラアウター（router）１２を利用し、電話ワイヤ１３を経由し、サーバ（Server）端１４とリンクし、ＡＤＳＬまたはＡＴＭのパケット（packet）信号を送受信する。サーバ（Server）端１４はＡＴＭネットワーク設備を利用し、光ファイバー１３１を経由し、インターネット１５とリンクし、発信されるＡＴＭのパケット（packet）信号をインターネット１５に伝送し、または、インターネット１５から伝送されるＡＴＭのパケット（packet）信号を受信する。前述のネットワーク構造は光ファイバー１３１によりパケット（packet）の伝送を行うため、伝送のスピードがアップロード伝送で６４０ＫＢｙｔｅおよびダウンロードで１．５Ｍｅｇａ  Ｂｙｔｅ向上している。しかしながら、ハードウエア構造の配置でサーバ端にＡＴＭネットワークが架設されないと、ネットワーク構造の高速伝送のサービスが実現できないため、取り付けのコストが極めて高く、一般のネットワークのユーザへの普及は困難である。
【０００４】
（２）ケーブルモデム（Cable Modem）のネットワークの構造：
図２に示すように、ネットワークシステムのリンク構造は、クライント端のイーサネットワークカード２０がケーブルモデム（Cable Modem）２０１にリンクする。クライント端のイーサネットワークカード２０はケーブルモデム（Cable Modem）２０１を利用し、ケーブル２１を経由し、有線テレビシステム業者（またはネットワークシステムの通信業者やサーバ）が団地に架設しているノード設備（Node）２２にリンクする。ノード設備（Node）２２は光ファイバー２３を利用し、ネットワークシステムの通信業者のネットワーク設備２４とリンクする。ネットワーク設備（Node）２４は、さらに、光ファイバー２３を経由し、インターネット２５とリンクし、イーサネットワークカード２０のパケット（packet）信号をインターネット２５に伝送し、または、インターネット２５から伝送されるパケット（packet）信号を受信する。前述のネットワーク構造は、有線テレビシステム業者が団地に架設しているノード設備（Node）２２で高速伝送性能の光ファイバー２３が有線テレビシステム業者の既存のケーブル２１線路により団地の１００から５００のクライント端まで配線されているため、クライント端のネットワーク伝送スピードが向上している。しかしながら、前述のネットワーク構造は一般的に有線テレビシステムを使用している団地のみで広く使用されている。前述のネットワーク構造を採用すると、有線テレビシステム業者が団地に架設しているノード設備を保守および管理するとき、伝送の管理パケット（packet）信号および一般のデータパケット（packet）信号が同一の光ファイバーを経由し伝送されるため、ネットワークのハッカー（Hacker）に侵入され易く、監視、制御および管理の問題が発生する。
【０００５】
（３）電話線路（ＵＴＰ）のネットワークの構造：
図３に示すように、ネットワークシステムのリンク構造は、クライント端のイーサネットワークカード３０にＡＤＳＬの通信インタ一フェース（図面に示せず）およびラアウター制御回路（図面に示せず）が設置されている。イーサネットワークカード３０はラアウター制御回路を利用し、既存の非遮蔽ツイストペア（unshielded Twisted Pair、ＵＴＰと略称する）の電話線路３１を経由し、サーバ端（またはネットワークシステムの通信業者）が団地に架設しているイーサネットワークスイッチボード（Switch）３２とリンクする。スイッチボード３２は、さらに、光ファイバー３３を経由し、イーサネットワークの設備３４とリンクする。イーサネットワークの設備３４が光ファイバー３３を経由し、インターネット３５とリンクし、イーサネットワークカード３０のパケット（packet）信号をインターネット３５に伝送し、または、インターネット３５から伝送されるパケット（packet）信号を受信する。前述のネットワーク構造でサーバ端が団地に架設しているネットワークスイッチボード３２は、高速伝送性能の光ファイバー３３が既存の電話線路３１により団地の一定数量のクライント端に配線されているため、クライント端のネットワーク伝送スピードが向上している。前述のネットワーク構造は、現在、団地によく応用されているネットワーク構造である。前述のネットワーク構造では、団地に架設されているネットワークスイッチボード３２がサーバ端と所定の間隔で配置され、保守者の近くで随時、保守および管理されない。また、ネットワークを経由しオンラインで保守および管理することは、一般に、ネットワーク管理システムを採用しているＳＮＭＰ（Simple Network Management Protocol）の簡易型ネットワーク管理協定に制限されているため、サーバ端からネットワークスイッチボード３２をオンラインで即時に保守および管理することはできない。保守者がネットワークスイッチボード３２の架設場所に行き、保守および管理しなければならないため、管理の盲点および問題が発生する。また、保守および管理のコストは大幅に増加し、ネットワークの伝送サービス品質に悪影響を及ぼす。
そこで、本発明の目的は、オンラインで実行できるイーサネットワーク用スイッチボードの管理システムおよびイーサネットワーク用スイッチボードを提供することにある。
【０００６】
【課題を解決するための手段】
本発明請求項記載のイーサネットワーク用スイッチボードの管理システムによると、イーサネットワーク用スイッチボードは、ネットワークインターフェース回路を利用し、第１線路を経由し、サーバ端にリンクし、クラインド端とサーバ端との間でデータパケットを受発信する。サーバ端がネットワーク管理パケットを第２線路を経由し、イーサネットワーク用スイッチボードに伝送する。イーサネットワーク用スイッチボードはサーバ端から伝送されるネットワーク管理パケットを受信し、インストールされているＳＮＭＰ協定の管理データベース（ＭＩＢ）の管理値を設定する。イーサネットワーク用スイッチボードはＭＩＢの管理値に基づきネットワークインターフェース回路を監視および制御する。ネットワークの管理者は伝送されるネットワークインターフェース回路のテスト結果を分析および判断し、ネットワーク用スイッチボードをオンラインで監視、制御および管理する。
【０００７】
また、本発明請求項記載のイーサネットワーク用スイッチボードは、第１線路を経由し、サーバ端から伝送される一般のデータパケットを受信し、または一般のデータパケットをサーバ端に伝送するイーサネットワークスイッチ回路と、サーバ端から伝送されるネットワーク管理パケットを第２線路で受信し、受信したネットワーク管理パケットに基づき、インストールされているＳＮＭＰ協定を経由してＳＮＭＰ協定の管理データベースであるＭＩＢの管理値を設定するネットワーク管理制御回路と、それぞれイーサネットワークスイッチ回路ならびにクライント端のネットワークスイッチカードに接続される複数のネットワークインターフェース回路とを備える。ネットワーク管理制御回路はバスを経由しＭＩＢの管理値をイーサネットワークスイッチ回路に伝送し、イーサネットワークスイッチ回路はＭＩＢの管理値によりネットワークインターフェース回路を監視および制御し、テスト結果をＭＩＢに書き込み、ＳＮＭＰ協定はテスト結果を収集してサーバ端に伝送し、サーバ端のネットワークの管理者はテスト結果を分析および判断する。
【０００８】
【発明の実施の形態】
本発明によるイーサネットワーク（Ethernet network）用スイッチボードの管理システムおよびイーサネットワーク用スイッチボードによると、団地に応用されている電話線路（ＵＴＰ）のネットワーク構造でサーバ端からネットワークスイッチボードをオンラインで即時に保守および管理できないという問題が解決されている。本発明により、従来のネットワーク構造でサーバ端からネットワーク用スイッチボードをオンラインで即時に保守および管理することができる。
【０００９】
現在、ネットワークに使用されているネットワークの管理応用プログラムは、一般に、ＳＮＭＰ（Simple Network Management Protocol  以下、ＳＮＭＰと略称する）である簡易型ネットワーク管理協定が採用されている。ＳＮＭＰ協定はＯＳＩモード（Open System Interconnection Model）の第７層伝送層に架設されている通信協定である。ＳＮＭＰ協定はネットワーク装置から装置の特性、パケットの交通量および錯誤などの管理の情報を収集する。管理の情報はネットワーク装置に収集され、管理データべ一ス（Management Information Base、以下、ＭＩＢと略称する）に記録される。ネットワークの管理者はＳＮＭＰ協定を経由し、ＭＩＢから情報を収集し、オンラインでネットワークを管理する。ＳＮＭＰ協定が下層の伝送層ＵＤＰ（User Datagram Protocol、以下、ＵＤＰと略称する）を経由し、ネットワーク装置のリンク（Connection）を行うとき、ＵＤＰ協定がリンクのメッセ一ジを伝送の待機状態のパケットに書き込む。さらに、下層のＩＰ（Internet Protocol）協定がパケットを伝送する。しかしながら、提供される伝送はリンク案内ではないサービスであり、予め相手とのリンク関係はなく、伝送時の錯誤も検知されない。このため、ＵＤＰ協定で提供される伝送サービスは信頼できない。また、上層のＳＮＭＰ協定は他動式のネットワーク管理システムであるため、ネットワークの管理者が質問しないと、相手は自動で情報を提供しない。したがって、大量のパケットが伝送されるとき、ＵＤＰ協定が伝送の過程で生じる錯誤によりパケットを遺失しても、ＳＮＭＰ協定がパケットの遺失を確認しないため、ソフトウエアはネットワークのオンラインで即時に管理のサービスを提供することができない。
【００１０】
図４に示すように、従来の電話線路（ＵＴＰ）のネットワーク構造では、クライント端４０は既存の電話線路４１を利用し、団地に架設されているイーサネットワーク（Ethernet network）用ネットワークスイッチボード４２とリンクする。ネットワークスイッチボード４２は、さらに、光ファイバー４３を経由し、サーバ端４４およびインターネット４５の順にリンクし、クライント端４０のパケット（packet）信号をインターネット４５に伝送し、または、インターネット４５から伝送されるパケット（packet）信号を受信する。前述のネットワークの構造では、ネットワークスイッチボード４２のクラインド端４０とリンクするネットワークインターフェース回路（Ｉ／Ｏport）とは電話のスイッチボードの入出力ポートに設けられている電話回路検知機構を有していないため、ハードウエアがネットワーク線路に配合不可能であり、ネットワークスイッチボード４２のネットワークインターフェース回路を即時に監視、制御および管理できない。さらに、前述のネットワーク構造では、異なるクライント端４０がネットワークスイッチボード４２および相関的な光ファイバー４３を経由し、サーバ端４４とリンクし、パケット（packet）信号の伝送を行い、サーバ端４４が同一パスを経由し、ネットワークスイッチボード４２を監視、制御および管理するため、ネットワークのハッカーに侵入され易く、監視、制御および管理の問題が発生する。
【００１１】
そこで、以下に本発明の実施例を図面に基づいて説明する。
図５に示すように、本発明の一実施例によるイーサネットワーク（Ethernet network）用スイッチボード５０は、イーサネットワークスイッチ回路５２、ネットワーク管理制御回路５１および複数のネットワークインターフェース回路５３を有する。イーサネットワークスイッチ回路５２は一般のイーサネットワーク（Ethernet network）用スイッチボードの制御回路と同様の構造であり、サーバ端から伝送される一般のデータパケットを受信し、ネットワークインターフェース回路５３を経由し、クライント端のイーサネットワークカードに伝送し、または、クライント端のイーサネットワークカードから伝送される一般のデータパケットをサーバ端に伝送する。ネットワーク管理制御回路５１はサーバ端から伝送されるネットワーク管理パケットを受信する。ＣＰＵ５１１が受信するネットワーク管理パケットに基づきインストールされているＳＮＷＰ協定５１３を経由し、ＳＮＭＰ協定の管理データベース（Management Information Base、以下、ＭＩＢと略称する）５１２においてネットワークインターフェース回路５３をイネーブル（enable）またはディスイネーブル（disenable）にするように管理値を設定する。ネットワーク管理制御回路５１はバス（Bus）５４を経由し、管理データベースの管理値をイーサネットワークスイッチ回路５２に伝送する。イーサネットワークスイッチ回路５２は管理値によりネットワークインターフェース回路５３を監視および制御する。また、ネットワークインターフェース回路５３にはテスト回路５３１が設置されている。ネットワークインターフェース回路５３が使用されないとき、ネットワーク管理制御回路５１は管理データベース５１２の管理値によりイネーブル（enable）またはディスイネーブル（disenable）信号をテスト回路５３１に伝送し、テスト回路５３１をスタートする。ネットワークインターフェース回路５３はテストされ、テストの結果はＭＩＢ５１２に書き込まれる。
【００１２】
図５および図６に示すように、ネットワークインターフェース回路５３はそれぞれ電話線路４１を経由し、クライント端のイーサネットワークカード４０にリンクし、イーサネットワークスイッチ回路５２および光ファイバー４３を経由し、サーバ端４４にリンクする。クライント端４０とサーバ端４４との間の一般データパケットの伝送はイーサネットワークスイッチ回路５２で行われ、パケットの受信および発送は実行される。サーバ端４４がスイッチボード５０を監視、制御および管理するとき、独立の線路７０を経由し、監視、制御および管理のパケット情報をネットワーク管理制御回路５１に伝送するため、監視、制御および管理のパスがネットワークのハッカーに侵入されることは防止される。また、ネットワークインターフェース回路５３にはテスト回路５３１が設置されている。ネットワークインターフェース回路５３が使用されないとき、イーサネットワークスイッチ回路５２はMＩＢ５１２の管理値によりテスト回路５３１をスタートする。ネットワークインターフェース回路５３はテストされ、テストの結果はＭＩＢ５１２に書き込まれる。ＳＮＭＰ協定５１３がテストの結果を収集し、独立の線路７０を経由し、サーバ端４４に伝送する。したがって、サーバ端４４のネットワークの管理者が伝送されるテスト結果を分析および判断し、サーバ端４４がネットワークスイッチボード５０を即時に遠距離およびオンラインで監視、制御および管理できる。したがって、保守および管理のコストは大幅に低減され、ネットワークの伝送サービス品質も有効的に向上される。
【００１３】
ネットワークインターフェース回路５３はＶＤＳＬ（Very high speed Digital Subscriber Line）のインターフェース回路が採用されている。ＶＤＳＬのインターフェース回路は最長の有効距離１．５kmの範囲で約１２Ｍｅｇａ  Ｂｙｔｅのデータを伝送する特性を有するため、電話線路（ＵＴＰ）のネットワーク構造でネットワークスイッチボード５０とクライント端のイーサネットワークカード４０との接続用インターフェース回路に適用されている。したがって、従来のイーサネットワークインターフェース回路の非遮蔽ツイスト線路の最長の有効距離１００mの制限を突破している。
【００１４】
本発明の他の実施例によると、サーバ端４４がネットワークスイッチボード５０を監視、制御および管理するとき、ネットワークの管理パケットを快速かつ正確にネットワークスイッチボード５０に伝送するため、独立の線路７０には光ファイバーが採用されている。専用線路、ＡＤＳＬまたはケーブルモデム（ＭＯＤＥＭ）６０の伝送方式により管理パケットの伝送を行う。
【図面の簡単な説明】
【図１】従来のネットワーク構造を示す模式図である。
【図２】従来のネットワーク構造を示す模式図である。
【図３】従来のネットワーク構造を示す模式図である。
【図４】従来のネットワーク構造を示す模式図である。
【図５】本発明の一実施例によるイーサネットワーク（Ethernet network）用スイッチボードを示す模式図である。
【図６】本発明の一実施例によるイーサネットワーク（Ethernet network）用スイッチボードを示す模式図である。
【符号の説明】
４０    クライント端
４１    電話線路
４３    光ファイバー
４４    サーバ端
５０    イーサネットワーク用スイッチボード
５１    ネットワーク管理制御回路
５２    イーサネットワーク用スイッチ回路
５３    ネットワークインターフェース回路
５１２    管理データベース
５１３    ＳＮＭＰ協定
５３１    テスト回路
【図１】
0003784285.tif 000002
【図２】
0003784285.tif 000003
【図３】
0003784285.tif 000004
【図４】
0003784285.tif 000005
【図５】
0003784285.tif 000006
【図６】
0003784285.tif 000007